(57)【要約】【課題】歯科医療機器用ワークテーブルを汚れ、衝撃から保護し、歯科医療機器用ワークテーブルからテーブルカバーを容易に取り外す。【解決手段】歯科医療機器用ワークテーブルは、テーブルカバーが装着される歯科医療機器用ワークテーブルであって、天板を有し、テーブルカバーは、可撓性シートからなり、天板に装着される天板カバーを有し、この天板カバーは天板と向き合う裏側に設けられると共に裏側との間に隙間を形成して内側へ延びる天板取付部を有し、天板の縁部が隙間に挿入された状態で、天板カバーが天板に装着されている。【選択図】図２
2018015452.tif 000002
【特許請求の範囲】
【請求項１】
テーブルカバーが装着される歯科医療機器用ワークテーブルであって、
天板を有し、
前記テーブルカバーは、可撓性シートからなり、前記天板に装着される天板カバーを有し、
この天板カバーは前記天板と向き合う裏側に設けられると共に前記裏側との間に隙間を形成して内側へ延びる天板取付部を有し、
前記天板の縁部が前記隙間に挿入された状態で、前記天板カバーが前記天板に装着されていること、
を特徴とする歯科医療機器用ワークテーブル。
【請求項２】
前記歯科医療機器用ワークテーブルは、歯科診療において主に医師が使用するドクターテーブル又は歯科診療において主に歯科衛生士が使用するアシスタントテーブルであることを特徴とする請求項１に記載の歯科医療機器用ワークテーブル。
【請求項３】
前記天板は、操作パネルと、この操作パネルに配設された押しボタンを有し、
前記天板カバーは前記操作パネルを覆うように装着され、
前記天板カバーは前記押しボタンを操作するボタン操作部を有し、
前記ボタン操作部は、前記押しボタンに対応する位置に形成された突起と、この突起の外周基部を囲むように形成された溝と、を前記裏側に備えたこと、
を特徴とする請求項１又は請求項２に記載の歯科医療機器用ワークテーブル。
【請求項４】
前記ボタン操作部は、前記押しボタンに対応する位置に操作案内を示すアイコン表示を備えたこと、
を特徴とする請求項３に記載の歯科医療機器用ワークテーブル。
【請求項５】
前記天板に設けられた取手をさらに有し、
前記テーブルカバーは、前記取手を覆うように巻きつけられた取手カバーを前記天板カバーと一体として備えたこと、
を特徴とする請求項１から請求項４のいずれか１項に記載の歯科医療機器用ワークテーブル。
【請求項６】
前記取手カバーは凸部を有し、
前記取手は前記凸部に対応する凹部を有し、
前記凹部に前記凸部を嵌め込んだ状態で、前記取手カバーは前記取手に装着されることを特徴する請求項５に記載の歯科医療機器用ワークテーブル。
【請求項７】
前記凸部はテーパーを付けられた先端部を有することを特徴とする請求項６に記載の歯科医療機器用ワークテーブル。
【請求項８】
前記凸部はフランジ部を有することを特徴とする請求項６又は請求項７に記載の歯科医療機器用ワークテーブル。
【請求項９】
前記天板が配設されたテーブル本体と、
このテーブル本体に取り付けられたインスツルメントハンガーと、をさらに備え、
前記テーブルカバーは、このインスツルメントハンガーを覆うハンガーカバーを有すること、
を特徴とする請求項１から請求項８のいずれか１項に記載の歯科医療機器用ワークテーブル。
【請求項１０】
前記可撓性シートは熱硬化性エラストマーであることを特徴とする請求項１から請求項９のいずれか１項に記載の歯科医療機器用ワークテーブル。
【請求項１１】
歯科医療機器用ワークテーブルに装着されるテーブルカバーであって、
前記テーブルカバーは、可撓性シートからなり、前記ワークテーブルの天板に装着される天板カバーを有し、
この天板カバーは、前記天板と向き合う裏側に設けられると共に前記裏側との間に隙間を形成して内側へ延びる天板取付部を有し、
前記天板の縁部が前記隙間に挿入された状態で前記天板カバーは前記天板に装着されること、
を特徴とするテーブルカバー。
【請求項１２】
前記可撓性シートは熱硬化性エラストマーであることを特徴とする請求項１１に記載のテーブルカバー。
【発明の詳細な説明】
【技術分野】
【０００１】
本発明は、歯科医療機器に適用される歯科医療機器用ワークテーブル及びテーブルカバーに関する。
【背景技術】
【０００２】
歯科治療において、ワークテーブルは薬液や治療器具を置くために用いられる。ワークテーブルはカバー部材によって覆われる。これにより、治療中に薬液がワークテーブルの上に飛散したり、治療器具がワークテーブルに触れたりすることを防止する（特許文献１参照）。
他のワークテーブルはシートロールを備え、シートロールより引き出したシートで覆われる。これにより、衛生的な歯科治療を行うことができる（特許文献２参照）。
【先行技術文献】
【特許文献】
【０００３】
【特許文献１】特開２００６−１１５９８９号公報
【特許文献２】特開平９−２０６３１７号公報
【発明の概要】
【発明が解決しようとする課題】
【０００４】
しかしながら、特許文献１に記載したカバー部材は、変形し難いため、取り付け、取り外しに多くの労力を必要としていた。また、特許文献２に記載したシートロールは、ワークテーブルに固定されるため、ワークテーブルから容易に取り外すことができなかった。
【０００５】
本発明の第１の目的は、ワークテーブルを汚れ、衝撃から保護する歯科医療機器用ワークテーブル及びテーブルカバーを提供することにある。
本発明の第２の目的は、ワークテーブルからテーブルカバーを容易に取り外すことができる歯科医療機器用ワークテーブル及びテーブルカバーを提供することにある。
【課題を解決するための手段】
【０００６】
上記目的を達成するため、本発明の第１の態様に係る歯科医療機器用ワークテーブルは、テーブルカバーが装着される歯科医療機器用ワークテーブルであって、天板を有し、テーブルカバーは、可撓性シートからなり、天板に装着される天板カバーを有し、この天板カバーは天板と向き合う裏側に設けられると共に裏側との間に隙間を形成して内側へ延びる天板取付部を有し、天板の縁部が隙間に挿入された状態で、天板カバーが天板に装着されている。
【０００７】
以上の歯科医療機器用ワークテーブルにあって、歯科医療機器用ワークテーブルは、歯科診療において主に医師が使用するドクターテーブル又は歯科診療において主に歯科衛生士が使用するアシスタントテーブルである。
天板は、操作パネルと、この操作パネルに配設された押しボタンを有し、天板カバーは操作パネルを覆うように装着され、天板カバーは押しボタンを操作するボタン操作部を有し、ボタン操作部は、押しボタンに対応する位置に形成された突起と、この突起の外周基部を囲むように形成された溝と、を裏側に備えた。
ボタン操作部は、押しボタンに対応する位置に操作案内を示すアイコン表示を備えた。
歯科医療機器用ワークテーブルは天板に設けられた取手をさらに有し、テーブルカバーは、取手を覆うように巻きつけられた取手カバーを天板カバーと一体として備えた。
取手カバーは凸部を有し、取手は凸部に対応する凹部を有し、凹部に凸部を嵌め込んだ状態で、取手カバーは取手に装着される。
凸部はテーパーを付けられた先端部を有する。凸部はフランジ部を有する。
歯科医療機器用ワークテーブルは、天板が配設されたテーブル本体と、このテーブル本体に取り付けられたインスツルメントハンガーと、をさらに備え、テーブルカバーは、このインスツルメントハンガーを覆うハンガーカバーを有する。
可撓性シートは熱硬化性エラストマーである。
【０００８】
本発明の第２の態様に係るテーブルカバーは、歯科医療機器用ワークテーブルに装着されるテーブルカバーであって、テーブルカバーは、可撓性シートからなり、ワークテーブルの天板に装着される天板カバーを有し、この天板カバーは、天板と向き合う裏側に設けられると共に裏側との間に隙間を形成して内側へ延びる天板取付部を有し、天板の縁部が隙間に挿入された状態で天板カバーは天板に装着される。
以上のテーブルカバーにあって、可撓性シートは熱硬化性エラストマーである。
【発明の効果】
【０００９】
本発明の天板カバーは、ワークテーブルの天板を汚れ、衝撃から保護する。
天板カバーは、ワークテーブルの天板から容易に取り外すことができる。
ボタン操作部の突起及び溝は、押しボタンの安定したクリック感、及び、操作者の確実な押し下げを実現する。
アイコン表示は、ボタン操作部の操作を容易にする。
取手カバーは、汚れ、衝撃からワークテーブルの取手を保護する。
取手カバーの凸部及び取手の凹部は、取手に取手カバーを確実に装着する。
凸部の先端部は、凹部及び凸部の嵌め込みを容易にする。
凸部のフランジ部は、凹部及び凸部の確実な係合を実現する。
ハンガーカバーは、汚れ、衝撃からワークテーブルのインスツルメントハンガーを保護する。
テーブルカバーは、変形させた状態で、洗浄又は滅菌することができる。
【図面の簡単な説明】
【００１０】
【図１】歯科医療機器の全体構成を示す斜視図である。
【図２】図１のドクター用のワークテーブルを示す拡大斜視図である。
【図３】図２の天板及びインスツルメントハンガーの斜視図である。
【図４Ａ】図２のテーブルカバーの斜視図である。
【図４Ｂ】図４Ａのテーブルカバーの背面図である。
【図４Ｃ】図４ＢのＩＶＣ−ＩＶＣに沿った断面図である。
【図５Ａ】図４Ａのテーブルカバーの平面図である。
【図５Ｂ】図５ＡのＶＢ−ＶＢに沿った断面図である。
【図５Ｃ】図５ＡのＶＣ−ＶＣに沿った断面図である。
【図５Ｄ】図５ＡのＶＤ−ＶＤに沿った断面図である。
【図６Ａ】図５ＤのＶＩＡで示すテーブルカバーの一部拡大図である。
【図６Ｂ】図５ＤのＶＩＢで示すテーブルカバーの一部拡大図である。
【図７Ａ】図４Ａの取手カバーの拡大斜視図である。
【図７Ｂ】図４Ａの取手カバー及び取手の拡大背面図である。
【図７Ｃ】図４Ａの取手カバーを取り付けた取手の拡大斜視図である。
【図７Ｄ】図７ＢのＶＩＩＤ−ＶＩＩＤに沿った凸部の断面形状である。
【図７Ｅ】図７Ｂの凸部について他の態様を凸部の断面形状である。
【図７Ｆ】図７Ｂの凸部について他の態様を凸部の断面形状である。
【図７Ｇ】図７Ｂの凸部について他の態様を凸部の断面形状である。
【図８】図２のインスツルメントハンガーの分解斜視図である。
【図９】他の実施形態のテーブルカバーを示す斜視図である。
【発明を実施するための形態】
【００１１】
以下、図面を参照して、本発明の実施形態に係る歯科医療機器用ワークテーブル及びテーブルカバーを説明する。
図１に示すように、歯科医療機器１０は、基台１１の上に駆動装置１２を介在して設置された患者用の椅子１３と、椅子１３の一側に配置され、可動アーム１５で支持されたアシスタント用ワークテーブル１６と、椅子１３の反対側に配置され、可動アーム１７で支持されたドクター用ワークテーブル２０とを有する。アシスタント用ワークテーブル１６は、主に歯科衛生士が使用するアシスタントテーブルである。ドクター用ワークテーブル２０は、歯科診療において主に医師が使用するドクターテーブルである。
【００１２】
図２に示すように、ドクター用ワークテーブル２０は、矩形の天板２１（天板）と、天板２１の下に配置されたインスツルメントハンガー２２と、天板２１が載置されると共にインスツルメントハンガー２２が旋回可能に取り付けられたテーブル本体２３と、天板２１及びインスツルメントハンガー２２を覆うテーブルカバー３０と、を有する。
【００１３】
図３に示すように、天板２１は、ワークプレート２１ａと、ワークプレート２１ａの後に配置された操作パネル２１ｂと、操作パネル２１ｂの両側に形成された第１及び第２の開口部２１ｃ、２１ｄと、天板２１の後端に形成されると共に第１の開口部２１ｃの一部を形成する取手２１ｅを有する。取手２１ｅの裏側は、長手方向に延びる２つの直線状の凹部２１ｆ、２１ｇを有する（図７Ｂ参照）。
【００１４】
矩形のワークプレート２１ａは、中央から周縁にかけて平坦である。操作パネル２１ｂは、基板に取り付けられた押しボタン２１ｈを有する。
押しボタン２１は、例えば、マイクロモータの回転方向について正回転、逆回転を切り替えるためのスイッチ、エアタービンのスプレー機能をオン、オフに切り換えるためのスイッチ、照明（無影灯）の点灯又は消灯を切り替えるためのスイッチ、エアタービンの照明の点灯又は消灯を切り替えるためのスイッチ、椅子をうがいのためのポジションにするためのスイッチである。
【００１５】
インスツルメントハンガー２２は、インスツルメントを収容可能な開口部２２ａを有したＵ形の収容部２２ｂと、収容部２２ｂの先端に取り付けられたローラー２２ｃと、側面から突出する把持部２２ｄを有する。
【００１６】
テーブルカバー３０は、１３４℃以上の耐熱性、及び、アルコール耐性を有する可撓性シートからなる。可撓性シートは、例えば、熱硬化性エラストマー、クロロスルホン化ポリエチレンゴム、エチレン・プロピレンゴム、ブチルゴム、又は、エピクロルヒドリンゴムを用いる。熱硬化性エラストマーは、例えば、シリコーンゴム、フッ素ゴムである。可撓性シートは、うず巻き状に巻いた状態で、オートクレーブ内で滅菌を繰り返し施すことが可能である。
【００１７】
図２に示すように、テーブルカバー３０は、天板２１のワークプレート２１ａ及び操作パネル２１ｂの上に載置された天板カバー３１と、取手２１ｅを覆う取手カバー３２と、を有する。
【００１８】
図４Ａに示すように、天板カバー３１は、天板２１のワークプレート２１ａに対応するワークシート部３１ａと、ワークシート部３１ａの後に、天板２１の操作パネル２１ｂに対応する操作シート部３１ｂを有する。ワークシート部３１ａは、平坦で矩形の底壁３１１と、底壁３１１の周縁から突出する周壁３１２とを有し、ワークシート部３１ａの表側は全体として凹形となる。
図４Ｂ、５Ｂ、５Ｃに示すように、ワークシート部３１ａは、裏側の両側端に側壁３１３、３１４と、裏側の前端にＬ形の天板取付部３５を有する。図４Ｂ、５Ｄに示すように、操作シート部３１ｂは、裏側の両側端に側壁３１５、３１６と、裏側の後端にＬ形の天板取付部３６を有する。
【００１９】
図６Ａに示すように、天板取付部３５は、ワークシート部３１ａの前端から下方へ延びる前壁３５ａと、前壁３５ａから天板カバー３１の内側（後方）へ延びる下壁３５ｂを有する。下壁３５ｂとワークシート部３１ａの裏側との間には、隙間３５ｃが形成される。
図６Ｂに示すように、天板取付部３６は、天板取付部３５と同様な構造を有し、操作シート部３１ｂの裏側の後端から延びる後壁３６ａと、後壁３６ａから操作シート部３１ｂの内側（前方）へ延びる下壁３６ｂを有する。下壁３６ｂと操作シート部３１ｂの裏側との間には、隙間３６ｃが介在する。
【００２０】
図４Ａに示すように、操作シート部３１ｂは、各押しボタン２１ｈに対応するボタン操作部３７を有する。図４Ｂ、４Ｃに示すように、各ボタン操作部３７の裏側は、各押しボタン２１ｈに対応する位置に形成された円形の突起３７ａと、突起３７ａの外周基部を囲むように形成された環状の溝３７ｂを有する。突起３７ａは、押しボタン２１ｈより少し小さなサイズを有する。
【００２１】
図５Ａに示すように、各ボタン操作部３７の表面は、アイコン３７ｃによって表示されている。アイコン３７ｃは、押しボタン２１ｈの作動対象に対応し、例えば、マイクロモータの回転方向について正回転、逆回転を切り替える内容を表わす図形、エアタービンのスプレー機能をオン、オフに切り換える内容を表わす図形、照明（無影灯）の点灯又は消灯を切り替える内容を表わす図形、エアタービンの照明の点灯又は消灯を切り替える内容を表わす図形、椅子をうがいのためのポジションにする内容を表わす図形である。
【００２２】
図７Ａに示すように、取手カバー３２は、天板カバー３１と一体に形成される。取手カバー３２は、天板２１の取手２１ｅの上に載置されるベースシート部３２ａと、ベースシート部３２ａの両側に形成された取手シート部３２ｂ、３２ｃを有する。ベースシート部３２ａは天板カバー３１の後端の一部を構成すると共に開口部３１ｃの一部を画定する。取手シート部３２ｂは、ベースシート部３２ａから天板カバー３１の外側へ延びる一方、取手シート部３２ｃはベースシート部３２ａから天板カバー３１の内側へ向けて開口部３１ｃの中へ延びる。図７Ｂに示すように、取手シート部３２ｂ、３２ｃの自由端部は、それぞれ、裏側に直線状の凸部３２ｄ、３２ｅを有する。この凸部３２ｄ、３２ｅは、取手２１ｅの裏側に形成した直線状の凹部２１ｆ、２１ｇに嵌め込まれる。
【００２３】
凸部３２ｄ、３２ｅは、凹部２１ｆ、２１ｇと同じ、又は、少し大きな幅を有する。なお、凸部３２ｄ、３２ｅ、凹部２１ｆ、２１ｇは、直線状のみならず、点線状、点状、又は、＋（プラス記号）形状であってもよい。
図７Ｄに示すように、断面Ｉ形の凸部３２ｄは、取手シート部３２ｂから突出する本体部３２１と、テーパーを付けられ湾曲した先端部３２２を有する。なお、凸部３２ｅも凸部３２ｄと同じ構造である。
【００２４】
図８に示すように、ハンガーカバー３３は、インスツルメントハンガー２２の開口部２２ａに対応する凹部３３ａと、収容部２２ｂに対応するＵ形の収容シート部３３ｂと、把持部２２ｄを覆うキャップ部３３ｃを有する。
【００２５】
次に、ドクター用ワークテーブル２０に対するテーブルカバー３０の取付方法を説明する。
先ず、図４Ｂに示すテーブルカバー３０の側壁３１３、３１４の間及び側壁３１５、３１６の間に天板２１を配置する。図６Ａに示す天板取付部３５とワークシート部３１ａの裏側と間の隙間３５ｃに天板２１の前縁部を挿入し、図６Ｂに示す天板取付部３６と操作シート部３１ｂの裏側との間の隙間３６ｃに天板２１の後縁部を挿入する。これにより、天板２１の前縁部は、弾性力の下、天板取付部３５とワークシート部３１ａとの間に挟まれ、天板２１の後縁部は、弾性力の下、天板取付部３６と操作シート部３１ｂとの間に挟まれる。これにより、天板カバー３１が天板２１に装着される。
【００２６】
次に、図７Ａに示す取手カバー３２のベースシート部３２ａを天板２１の取手２１ｅに載せる（図７Ｂ参照）。図７Ｂ、７Ｃにおいて、取手シート部３２ｂ、３２ｃを取手２１ｅの周りに互いに逆方向に巻きつける。取手シート部３２ｂ、３２ｃの直線状の凸部３２ｄ、３２ｅを取手２１ｅの直線状の凹部２１ｆ、２１ｇにそれぞれ押圧し、嵌め込む。これにより、取手カバー３２を取手２１ｅに確実に装着する。このとき、湾曲した先端部３２２は、凹部２１ｆ、２１ｇの中へ凸部３２ｄ、３２ｅを案内し、凹部２１ｆ、２１ｇ及び凸部３２ｄ、３２ｅの嵌め込みを容易にする。
【００２７】
さらに、図８において、ハンガーカバー３３をインスツルメントハンガー２２の上面に載置する。その際、収容部２２ｂに収容シート部３３ｂを一致させ、開口部２２ａに凹部３３ａを一致させる。キャップ部３３ｃを把持部２２ｄに取り付ける。
以上より、ドクター用ワークテーブル２０にテーブルカバー３０が取り付けられる。
【００２８】
次に、ドクター用ワークテーブル２０の使用方法を説明する。
図２において、診療用薬品が天板カバー３１のワークシート部３１ａの上に配置される。このとき、天板カバー３１、取手カバー３２、ハンガーカバー３３は、天板２１、取手２１ｅ、インスツルメントハンガー２２を薬品の汚れから保護し、ドクター用ワークテーブル２０を清潔に保つ。また、天板カバー３１、取手カバー３２、ハンガーカバー３３は、診療中にドクターの手が触れる部位を保護し、感染症対策となる。
【００２９】
次に、操作者は、インスツルメントハンガー２２の収容部２２ｂからインスツルメントを取り出し、操作する。操作者、インスツルメントが天板２１、取手２１ｅ、インスツルメントハンガー２２に接触しようとするとき、天板カバー３１、取手カバー３２、ハンガーカバー３３は変形して衝撃を吸収することにより、クッションの役割を果たし、両者を衝撃から保護する。
【００３０】
次に、患者は、椅子１３の上で仰向けに寝た状態（仰臥位）で、治療を受けた後、うがいをする。操作者が、椅子をうがいのためのポジションにする内容を表わすアイコン３７ｃが表示されたボタン操作部３７を押す（図５Ａ参照）。ここで、操作者は、アイコン３７ｃを見て操作内容を直感的に理解することができるので、ボタン操作部３７の操作を容易にする。
ボタン操作部３７の突起３７ａは操作パネル２１ｂの押しボタン２１ｈを押す（図３参照）。これにより、椅子１３の駆動装置１２を始動させ、仰臥位のポジションの椅子１３を起こし、椅子１３の姿勢を変更する（図１参照）。このとき、ボタン操作部３７の溝３７ｂは、突起３７ａを押圧方向に変位可能とし、押しボタン２１ｈの基板の高さのずれを吸収する（図４Ｃ参照）。これにより、押しボタン２１ｈの安定したクリック感、及び、操作者の確実な押し下げを実現する。
【００３１】
使用後のテーブルカバー３０をドクター用ワークテーブル２０から取り外す際、取手カバー３２の凸部３２ｄ、３２ｅを取手２１ｅの凹部２１ｆ、２１ｇから外す（図７Ｂ参照）。次に、天板カバー３１を前後方向に伸展させながら、天板２１の前縁部、後縁部から天板取付部３５、３６を外す（図６Ａ、６Ｂ参照）。これにより、天板カバー３１を天板２１から容易に取り外すことができる。最後に、ハンガーカバー３３をインスツルメントハンガー２２の上面から取り外す。
外した天板カバー３１、取手カバー３２及びハンガーカバー３３は、折り曲げながら洗浄し、渦巻状に巻いた状態で滅菌器（例えば、オートクレーブ）に入れて滅菌してもよい。これにより、テーブルカバー３０は、繰り返し使用することができる。一方、使用後のテーブルカバー３０は、ディスポーザル製品として、洗浄、滅菌せずに、そのまま廃棄してもよい。
【００３２】
以上の実施形態によれば、テーブルカバー３０の天板カバー３１は、薬品等の汚れ、衝撃からドクター用ワークテーブル２０の天板２１を保護する。
テーブルカバー３０の取手カバー３２は、汚れ、衝撃からドクター用ワークテーブル２０の取手２１ｅを保護する。
テーブルカバー３０のハンガーカバー３３は、汚れ、衝撃からドクター用ワークテーブル２０のインスツルメントハンガー２２を保護する。
天板取付部３５、３６により、天板２１からテーブルカバー３０を容易に取り外すことができる。
ボタン操作部３７の突起３７ａ及び溝３７ｂは、押しボタン２１ｈの安定したクリック感、及び、操作者の確実な押し下げを実現する。
アイコン３７ｃの表示は、ボタン操作部３７の操作を容易にする。
テーブルカバー３０は、折り曲げながら洗浄し、渦巻状に巻いた状態で滅菌することができる。
取手２１の凹部２１ｆ、２１ｇ及び取手カバー３２の凸部３２ｄ、３２ｅは、取手２１に取手カバー３２を確実に装着する。
凸部３２ｄ、３２ｅの先端部３２２は、凹部２１ｆ、２１ｇ及び凸部３２ｄ、３２ｅの嵌め込みを容易にする。
【００３３】
なお、本発明は、実施形態に限定されない。例えば、本実施形態のテーブルカバー３０は、アシスタント用ワークテーブル１６に適用してもよい。すなわち、アシスタント用ワークテーブル１６は、ドクター用ワークテーブル３０の天板２１のワークプレート２１ａ及びインスツルメントハンガー２２に相当するワークテーブルを有する。よって、アシスタント用ワークテーブル１６に用いるテーブルカバーは、テーブルカバー３０のうち天板カバー３１のワークシート部３１ｂ及びハンガーカバー３３に相当するテーブルカバーを備えればよい。なお、アシスタント用ワークテーブル１６のテーブルカバーの構成、作用、効果は、テーブルカバー３０と対応部分と同様なので、説明を省略する。
【００３４】
また、凸部３２ｄ、３２ｅは、図７Ｅから図７Ｇに示す態様の凸部３２ｆ〜３２ｈでもよい。
図７Ｅにおいて、断面Ｔ形の凸部３２ｆは、本体部３２１の先端から横方向へ延びるフランジ部３２３を有する。フランジ部３２３の横幅は、凹部２１ｆ、２１ｇの幅より大きく、フランジ部３２３の上縁及び下縁は直角に形成される。フランジ部３２３は、弾性変形して、凹部２１ｆ、２１ｇに嵌め込まれ、凸部３２ｆと凹部２１ｆ、２１ｇとの係合をさらに確実にする。
【００３５】
図７Ｆにおいて、断面＋（プラス記号）形の凸部３２ｇは、本体部３２１の湾曲した先端部３２２と基部との間の部位から横方向へ延びるフランジ部３２４を有する。フランジ部３２４の先端はテーパーを付けられ湾曲し、凸部３２ｇ及び凹部２１ｆ、２１ｇの嵌め込み、離脱を容易にする。
【００３６】
図７Ｇにおいて、断面ツリー状の凸部３２ｈは、本体部３２１の先端に、断面台形のフランジ部３２５を有する。フランジ部３２５は、先端へ向けて細くなるテーパー形状を有する。フランジ部３２５は、凸部３２ｈ及び凹部２１ｆ、２１ｇの嵌め込みを容易にする一方、両者の離脱に対して抵抗し、両者のさらに確実な係合を実現する。
【００３７】
また、図９に示すように、取手カバー３２Ａは、天板カバー３１Ａから分離し、天板カバー３１Ａと別体としてもよい。天板カバー３１Ａの後端にサポート部３１ｄを形成する。サポート部３１ｄは、取手２１ｅと共に取手カバー３２Ａによって巻き付けられる。
【符号の説明】
【００３８】
１０  歯科医療機器
１３  椅子
１６  アシスタント用ワークトテーブル
２０  ドクター用ワークテーブル
２１  天板
２１ａ  ワークプレート
２１ｂ  操作パネル
２１ｅ  取手
２１ｆ、２１ｇ  凹部
２１ｈ  押しボタン
２２  インスツルメントハンガー
３０  テーブルカバー
３１  天板カバー
３１ａ  ワークシート部
３１ｂ  操作シート部
３２  取手カバー
３２ｄ、３２ｅ  凸部
３３  ハンガーカバー
３５  天板取付部
３６  天板取付部
３７  ボタン操作部
３７ａ  突起
３７ｂ  溝
３７ｃ  アイコン
【図１】
2018015452.tif 000003
【図２】
2018015452.tif 000004
【図３】
2018015452.tif 000005
【図４Ａ】
2018015452.tif 000006
【図４Ｂ】
2018015452.tif 000007
【図４Ｃ】
2018015452.tif 000008
【図５Ａ】
2018015452.tif 000009
【図５Ｂ】
2018015452.tif 000010
【図５Ｃ】
2018015452.tif 000011
【図５Ｄ】
2018015452.tif 000012
【図６Ａ】
2018015452.tif 000013
【図６Ｂ】
2018015452.tif 000014
【図７Ａ】
2018015452.tif 000015
【図７Ｂ】
2018015452.tif 000016
【図７Ｃ】
2018015452.tif 000017
【図７Ｄ】
2018015452.tif 000018
【図７Ｅ】
2018015452.tif 000019
【図７Ｆ】
2018015452.tif 000020
【図７Ｇ】
2018015452.tif 000021
【図８】
2018015452.tif 000022
【図９】
2018015452.tif 000023
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
テーブルカバーが装着される歯科医療機器用ワークテーブルであって、
テーブル本体と、
前記テーブル本体の上に載置された天板とを有し、
前記天板は、前記テーブル本体から前後方向へ突出する縁部を有し、
前記テーブルカバーは、可撓性シートからなり、前記天板に装着される天板カバーを有し、
この天板カバーは前記天板と向き合う裏側から突出すると共に前記裏側との間に隙間を保ちながら内側へ延びる天板取付部を有し、
前記天板の縁部が前記隙間に挿入され、前記天板取付部と前記天板カバーの裏側とによって挟まれた状態で、前記天板カバーが前記天板に装着されていること、
を特徴とする歯科医療機器用ワークテーブル。
【請求項２】
テーブルカバーが装着される歯科医療機器用ワークテーブルであって、
天板を有し、
前記テーブルカバーは、可撓性シートからなり、前記天板に装着される天板カバーを有し、
この天板カバーは前記天板と向き合う裏側に設けられると共に前記裏側との間に隙間を形成して内側へ延びる天板取付部を有し、
前記天板の縁部が前記隙間に挿入された状態で、前記天板カバーが前記天板に装着され、
前記天板に設けられた取手をさらに有し、
前記テーブルカバーは、前記取手を覆うように巻きつけられた取手カバーを前記天板カバーと一体として備えたこと、
を特徴とする歯科医療機器用ワークテーブル。
【請求項３】
前記取手カバーは凸部を有し、
前記取手は前記凸部に対応する凹部を有し、
前記凹部に前記凸部を嵌め込んだ状態で、前記取手カバーは前記取手に装着されることを特徴する請求項２に記載の歯科医療機器用ワークテーブル。
【請求項４】
前記凸部はテーパーを付けられた先端部を有することを特徴とする請求項３に記載の歯科医療機器用ワークテーブル。
【請求項５】
前記凸部はフランジ部を有することを特徴とする請求項３又は請求項４に記載の歯科医療機器用ワークテーブル。
【請求項６】
前記天板が配設されたテーブル本体と、
このテーブル本体に取り付けられたインスツルメントハンガーとを備え、
前記テーブルカバーは、このインスツルメントハンガーを覆うハンガーカバーを有すること、
を特徴とする請求項２から請求項５のいずれか１項に記載の歯科医療機器用ワークテーブル。
【請求項７】
前記テーブル本体に取り付けられたインスツルメントハンガーを備え、
前記テーブルカバーは、このインスツルメントハンガーを覆うハンガーカバーを有すること、
を特徴とする請求項１に記載の歯科医療機器用ワークテーブル。
【請求項８】
前記歯科医療機器用ワークテーブルは、歯科診療において主に医師が使用するドクターテーブル又は歯科診療において主に歯科衛生士が使用するアシスタントテーブルであることを特徴とする請求項１から請求項７のいずれか１つに記載の歯科医療機器用ワークテーブル。
【請求項９】
前記天板は、操作パネルと、この操作パネルに配設された押しボタンを有し、
前記天板カバーは前記操作パネルを覆うように装着され、
前記天板カバーは前記押しボタンを操作するボタン操作部を有し、
前記ボタン操作部は、前記押しボタンに対応する位置に形成された突起と、この突起の外周基部を囲むように形成された溝と、を前記裏側に備えたこと、
を特徴とする請求項１から請求項８のいずれか１つに記載の歯科医療機器用ワークテーブル。
【請求項１０】
前記ボタン操作部は、前記押しボタンに対応する位置に操作案内を示すアイコン表示を備えたこと、
を特徴とする請求項９に記載の歯科医療機器用ワークテーブル。
【請求項１１】
前記可撓性シートは熱硬化性エラストマーであることを特徴とする請求項１から請求項１０のいずれか１項に記載の歯科医療機器用ワークテーブル。
【請求項１２】
歯科医療機器用ワークテーブルに装着されるテーブルカバーであって、
前記ワークテーブルは、テーブル本体と、前記テーブル本体の上に載置された天板とを有し、
前記天板は、前記テーブル本体から前後方向へ突出する縁部を有し、
前記テーブルカバーは、可撓性シートからなり、前記ワークテーブルの天板に装着される天板カバーを有し、
この天板カバーは、前記天板と向き合う裏側から突出すると共に前記裏側との間に隙間を保ちながら内側へ延びる天板取付部を有し、
前記天板の縁部が前記隙間に挿入され、前記天板取付部と前記天板カバーの裏側とによって挟まれた状態で前記天板カバーは前記天板に装着されること、
を特徴とするテーブルカバー。
【請求項１３】
前記可撓性シートは熱硬化性エラストマーであることを特徴とする請求項１２に記載のテーブルカバー。
【手続補正２】
【補正対象書類名】明細書
【補正対象項目名】０００４
【補正方法】変更
【補正の内容】
【０００４】
しかしながら、特許文献１、２に記載した技術では、カバーをワークテーブルに確実に装着できるとともに容易に取り外すことができるものでなかった。
【手続補正３】
【補正対象書類名】明細書
【補正対象項目名】０００５
【補正方法】変更
【補正の内容】
【０００５】
本発明の課題は、ワークテーブルにテーブルカバーが確実に装着されると共に容易に取り外すことができる歯科医療機器用ワークテーブル及びテーブルカバーを提供することにある。